(57)【要約】    【課題】支承具（７）において軸（６）を中心としてそれぞれが転動状に取り付けてある少なくとも２つの車輪（２）を含むユニット的連接転動具（１）。    【解決手段】少なくとも１つの車輪（２）の転動軸（６）が、少なくとも１つの隔離用手段（１３）で離反して移動可能であり、定位置への復元力が、車輪（２）により転動可能に担持されている転動用運動学的無限連結材（３）            で作用しており、前記車輪（２）が、前記連結材（３）で相互に運動学的に連結されている。連接転動具（１）は、乗り物の可動性集合体に、台枠になる転動性基盤またはその他に回転可能に、または固定的に取り付けておかれることができる。    【選択図】  図１
2011518073.tif 000002
【特許請求の範囲】
【請求項１】
地面（４）上を移動し、側面部材（１１、１２）を有する支承具（７）に担持されている軸（６）に担持されているまたは同軸を中心としてそれぞれが転動用に取り付けてある、少なくとも２つの車輪（２）、すなわち１列に並んでいる２つの端の車輪（２、８、９）を含んでおり、ユニット的連接転動具（１）が、少なくとも２つの前記車輪（２）で通行用に担持されて転動用連結材（３）上を転動するために、前記車輪（２）が、少なくとも２つの前記車輪（２）と接触している内面（２９）および前記地面（４）と接触している、外面（３９）を有する前記無限転動用連結材（３）で相互に運動学的に連結されており、前記運動学的連結材（３）、前記車輪（２）および隔離用手段（１３）の結合を特徴としており、１つの前記車輪（２）の少なくとも１つの転動軸（６）が、前記地面（４）に対する押圧力の作用だけで前記隔離用手段（１３）による隔離運動機能で自動的に移動できるために、予め定められた行程で、緩衝的かつ誘導的に移動可能に自由に取り付けてあり、前記転動用運動学的連結材（３）による連結で、戻し作用により接近できるユニット的連接転動具（１）。
【請求項２】
機能的に移動可能な前記転動軸（６）が、前記支承具（７）の前記側面部材（１１、１２）に穿設してある細長誘導用スリット（１０）に沿った線状行程に応じて移動し、前記無限運動学的転動用連結材（３）の張力が、前記細長誘導用スリット（１０）内で移動可能状の各前記転動軸（６）を接近状位置に維持し、同軸の移動時に抵抗と戻りの弾性力を作用させることを特徴とする、請求項１によるユニット的連接転動具（１）。
【請求項３】
端の各前記車輪（２、８、９）の前記転動軸（６）が、前記隔離用手段（１３）により離れてなり、前記運動学的連結材（３）で接近して戻ることを特徴とする、請求項１によるユニット的連接転動具（１）。
【請求項４】
前記隔離用手段（１３）が、前記支承具（７）の前記側面部材（１１、１２）に穿設してある、水平に対して傾斜している前記細長誘導用スリット（１０）であることを特徴とする、請求項１によるユニット的連接転動具（１）。
【請求項５】
前記細長誘導用スリット（１０）が、固定的または０°〜９０°に含まれる変更可能な角度で、水平に対して傾斜していることを特徴とする、請求項２または請求項４によるユニット的連接転動具（１）。
【請求項６】
前記細長誘導用スリット（１０）の傾斜角度が、０°〜４５°、好ましくは８°〜３５°であることを特徴とする、請求項１〜５によるユニット的連接転動具（１）。
【請求項７】
誘導用スリット（１５）に沿って滑動状に移動可能に取り付けてある転動軸の通過のために設けられている前記細長誘導用スリット（１０）の傾斜角度が、前記誘導用スリット（１５）を有する調節可能な傾斜度の前記調節用軸回転性円盤（１４）で調節でき、前記転動軸（６）が、前記支承具（７）の前記側面部材（１１、１２）に穿設してある拡大誘導用スリット（１０、１３）内も同じく通過することを特徴とする、請求項５によるユニット的連接転動具（１）。
【請求項８】
前記支承具（７）の前記側面部材（１１、１２）に穿設してある前記細長誘導スリット（１０）の位置が、迅速な前記調節用手段（４６）でスライド合わせできることを特徴とする、請求項２によるユニット的連接転動具（１）。
【請求項９】
前記隔離用手段（１３）が、前記地面（４）における支承力の作用で、前記側面部材（１１、１２）に穿設してある前記細長誘導用スリット（１０）に沿って移動できる前記転動軸（６）を離反して押すために設けられている隔離用部材または機構（２０）であることを特徴とする、請求項２によるユニット的連接転動具（１）。
【請求項１０】
前記隔離用部材または機構（２０）が、なんらかの応力で作動するとき、前記隔離用部材または機構（２０）が、前記車輪（２）の少なくとも１つの移動可能な前記転動軸（６）を他の前記転動軸（６）から離れて移動させるために設けられていることを特徴とする、請求項１〜９によるユニット的連接転動具（１）。
【請求項１１】
作動応力が、前記地面（４）に対する前記ユニット的連接転動具（１）の支承力によることを特徴とする、請求項１〜１０によるユニット的連接転動具（１）。
【請求項１２】
前記支承具（７）が、前記支承具の前記側面部材（１１、１２）のそれぞれに、少なくとも１つの前記細長誘導用スリット（２１）を有し、前記スリット内で、連結用部材（２２）が、前記ユニット的連接転動具（１）の全体に対して横断方向に移動可能に取り付けてあり、前記連結用部材（２２）が少なくとも１つの前記隔離用部材または機構（２０）を受けており、あるいは前記部材または機構を相互に連結することを特徴とする、請求項９によるユニット的連接転動具（１）。
【請求項１３】
２つの前記隔離用部材または機構（１３、２０）が、端の前記車輪（２、８、９）の両側に、前記連結用部材（２２）に平行に取り付けてあることを特徴とする、請求項１〜１２によるユニット的連接転動具（１）。
【請求項１４】
前記隔離用部材（２０）が、板（２３）状で適応した形状を呈しており、前記板の少なくとも１つの長手方向延長部がその端部に切り込み（２４）を有し、前記切り込み（２４）が、前記支承具（７）に対する前記隔離用部材（２０）の相対的移動時に、傾斜路作用で、端の前記車輪（２、８、９）の前記転動軸（６）を相対的に移動させるために応力を加えるべく設けられていることを特徴とする、請求項９によるユニット的連接転動具（１）。
【請求項１５】
前記切り込み（２４）がＶ字型の適応した形状を呈しており、前記Ｖ字型の凹部内に、端の前記車輪（２、８、９）の移動可能な前記転動軸（６）を休止状態で嵌入させるように、前記Ｖ字型の枝部がそれぞれ外方に方向付けてあることを特徴とする、請求項１〜１４によるユニット的連接転動具（１）。
【請求項１６】
前記切り込み（２４）のＶ字型の開口角度が６０°〜１６０°の間に含まれており、１２０°に等しいことが好ましいことを特徴とする、請求項１〜１５によるユニット的連接転動具（１）。
【請求項１７】
Ｖ字型の前記切り込み（２４）の直線状部分と角部分が丸みを帯びていることを特徴とする、請求項１５によるユニット的連接転動具（１）。
【請求項１８】
前記細長誘導用スリット（１０）が更にほぼ水平な直線状部分（４５）を有しており、前記部分に沿って少なくとも１つの移動可能な前記転動軸（６）がほぼ水平に滑動可能に取り付けてあることを特徴とする、請求項２によるユニット的連接転動具（１）。
【請求項１９】
ほぼ水平な前記直線状スリット（４５）内における前記転動軸（６）の位置が調節用機構（３４、４６）でスライド合わせしてあることを特徴とする、請求項１〜１８によるユニット的連接転動具（１）。
【請求項２０】
前記調節用機構（４６）が、１つの前記車輪（２）の前記転動軸（６）に支承されている偏心輪（４７）を含むことを特徴とする、請求項１〜１９によるユニット的連接転動具（１）。
【請求項２１】
前記調節用機構（３４）が水圧ジャッキ（３５）を介して制御されていることを特徴とする、請求項１９によるユニット的連接転動具（１）。
【請求項２２】
ユニット的連接転動具（１）が、２つの前記車輪（２）間に配置してある、前記転動用運動学的連結材（３）に対して横断方向位置における固定、可動または調節可能なころまたはその他の型の少なくとも１つの転動用要素の形状で、前記転動用運動学的連結材（３）の下方部分および／または上方部分において、前記連結材の前記内面（２９）または直近に、少なくとも１つの中間転動用支承具（２８）を含むことを特徴とする、請求項１によるユニット的連接転動具（１）。
【請求項２３】
前記転動用支承具（２８）が、前記無限運動学的転動用連結材（３）の前記内面（２９）に弾性的に拘束させる弾性力型加圧装置上に取り付けてあることを特徴とする、請求項１〜２２によるユニット的連接転動具（１）。
【請求項２４】
少なくとも１つの前記転動用支承具（２８）の運動が、適応する駆動装置（３２）でスライド合わせされているまたはされていない、または前記隔離用部材または機構（１３、２０）の制御運動に配設してあることを特徴とする、請求項２２によるユニット的連接転動具（１）。
【請求項２５】
適応する前記駆動装置（３２）が水圧ジャッキ（３３）であることを特徴とする、請求項１〜２４によるユニット的連接転動具（１）。
【請求項２６】
少なくとも１つの車輪（２）が駆動手段（３７）を含むことを特徴とする、請求項１によるユニット的連接転動具（１）。
【請求項２７】
前記転動用運動学的連結材（３）の前記外面（３９）が、ほぼ半円筒形の形状またはさもなければ凸状の形状を有することを特徴とする、請求項１によるユニット的連接転動具（１）。
【請求項２８】
前記転動用運動学的連結材（３）が、半円形または曲線状の形状の全断面を有し、前記車輪（２）が溝車（３０）であり、各溝（３０）の形状が、前記転動用運動学的連結材（３）の前記内面（２９）の形状に対応する断面を有することを特徴とする、請求項１によるユニット的連接転動具（１）。
【請求項２９】
前記転動用運動学的連結材（３）の前記内面（２９）が、ほぼ半円形、台形、三角形、正方形または長方形の断面の形状を有することを特徴とする、請求項１によるユニット的連接転動具（１）。
【請求項３０】
前記転動用運動学的連結材（３）の前記外面（３９）が、前記内面（２９）の半径よりも大きい半径の円形または曲線状断面を有することを特徴とする、請求項１によるユニット的連接転動具（１）。
【請求項３１】
前記転動用運動学的連結材（３）の前記内面（２９）が、横断方向の均整の取れた前記切り込み（４０）を有することを特徴とする、請求項１によるユニット的連接転動具（１）。
【請求項３２】
前記支承具（７）が、前記転動用運動学的連結材（３）の両側に１または複数の側面誘導部を有することを特徴とする、請求項１によるユニット的連接転動具（１）。
【請求項３３】
運動変換機構が、前記地面（４）における支承による応力を受けるとき、前記隔離用手段（１３）が、端の前記車輪（２、８、９）の転動軸を離反させることのできる連結リンクによる運動の変換機構またはその他の手段を含むことを特徴とする、請求項１によるユニット的連接転動具（１）。
【請求項３４】
ユニット的連接転動具（１）が、可動性集合体（５）に垂直または水平な軸に固定的に、または同軸を中心にして軸回転可能状態に、単独または複数取り付けてあることを特徴とする、請求項１によるユニット的連接転動具（１）。
【請求項３５】
ユニット的連接転動具（１）が、前記可動性転動用集合体（５）に取り付けてあり、前記連結用部材（２２）を介して前記集合体に固定してあることを特徴とする、請求項１２によるユニット的連接転動具（１）。
【請求項３６】
三角形に垂直に配置してある３の車輪（２）を含んでおり、下方の２つの車輪（２、８、９）の前記転動軸（６）が、少なくとも１つの隔離用手段（１３）で離反的に移動可能に取り付けてあるのに対し、第３の車輪（２、４４）、すなわち上方の車輪が下方の２つの車輪の上方の固定軸（６）を中心に回転可能に取り付けてあることを特徴とする、請求項１によるユニット的連接転動具（１）。
【請求項３７】
三角形に垂直に配置してある３の車輪を含んでおり、このそれぞれの前記車輪（２）の前記転動軸（６）が、ほぼ中央にある同一隔離用手段（１３）で離反して移動可能に取り付けてあることを特徴とする、請求項１によるユニット的連接転動具（１）。
【請求項３８】
２つ以上の転動用運動学的無限連結材（３）を含んでおり、それぞれが、前後に１列に並んでいるか、または同一水準に相互に平行して位置している少なくとも２つの前記車輪（２）に掛かっていることを特徴とする、請求項１〜３７によるユニット的連接転動具（１）。
【請求項３９】
台枠を含んでおり、前記台枠が請求項１〜３８による少なくとも２つのユニット的連接転動具（１）に担持されており、内、少なくとも１つの転動具が指向性であり得ることを特徴とする、台枠を含む転動可動性集合体（５）。
【発明の詳細な説明】
【技術分野】
【０００１】
本発明は、既存の転動のためのその他の車輪、キャスターまたは類似物に代わって利用できる新規タイプのユニット的連接転動具および同連接転動具を含む転動用要素に関する。
【０００２】
本発明は、とりわけ最低２つのキャスターからなるユニット的連接転動具に関し、同転動具の転動軸は、キャスターを転動状に担持しており、同軸がベルト型の転動用無限運動学的連結材の戻し作用によって相互に離反または接近して移動できる。
【背景技術】
【０００３】
従来の連接転動具は、連接転動具自体だけで十分な快適さを提供することができず、快適さが要求されるとき、連接転動具は、通常、１または複数の懸架装置に配設してある。同懸架装置は、費用が掛かり、必ずしも連接転動具に直接組み込まれ得るとは限らない。
【０００４】
１または複数の懸架装置を含む可動性転動用集合体、例えばキャスターが取り付けてある家具、台車および病院の寝台、ベビーカー、トランクでは、通常、懸架装置は、まったく設けられていない。したがって、通常、同可動性集合体に取り付けてあるキャスターは、例えば柔らかい地面や凹凸のある地面、砂利の多い地面上を満足に転動できない。なお、キャスターが、荒く、困難で起伏の多いまたは凹凸した地面上で使用されると、キャスターは、可動性集合体の他の部分に伝達される不愉快で危険かつ、損害をもたらす振動を生ずる。この振動は、例えばベビーカーに座っている子供や寝台で運搬されている患者、あるいはキャスター付き家具に置いてある品物に伝達され、後者の場合、衝撃でその品物に損傷を与え、またはその品物の落下を惹起することで非常に厄介である。
【０００５】
この振動を緩和させるべく、変形できる柔軟な材質の転動用ベルトを車輪およびキャスターの接触面に備え付けることが知られている。しかしながらこの解決策は、とりわけ地面との接触により、転動用ベルトの早期磨耗がもたらされるので、ある程度満足させるだけである。
【０００６】
更に、従来型の車輪とキャスターは、軟弱な土壌に沈み込む傾向があるので、とりわけクレーコート、砂地または類似土壌では、従来型の車輪とキャスターの使用は、かなり困難である。この事実により、この種の地面で、通常、転動しなければならない車両では、車輪をキャタピラーに換える。キャタピラーは、多数の不利益をもたらし、中でもとりわけ磨耗、減速、大きな騒音および車道または地面を傷める破損を挙げることができる。
【０００７】
なお、配達車、手押し型の車および類似の転動用可動集合体の場合、連接転動具は、障害を乗り越え、階段を上がり下りするのに適応していることは稀である。
【発明の概要】
【発明が解決しようとする課題】
【０００８】
本発明は、どのような型の地面でも、快適かつ静かな方法で通行を可能にする転動用手段によって、解決策をもたらすものである。
【課題を解決するための手段】
【０００９】
従来型の車輪およびキャスターでもたされる転動上の快適さよりも優れた転動上の快適さは、新規のユニット的連接転動具によって、本発明で得られる。同ユニット的連接転動具は、それぞれ支承具に担持されている軸に転動状に取り付けて、または軸に担持された、並列の少なくとも２つの車輪またはキャスターを含んでいる。少なくとも１つの車輪またはキャスターの転動軸は、支承具内または支承具上に設けられている隔離用手段を介して、離反して移動できる。同転動軸は、地面に対する押圧力の作用だけによる隔離用手段で、隔離運動の働きで自動的に移動するために予め定められた行程で、緩衝的かつ誘導的に自由に移動できるように取り付けてある。隔離用手段は、可動性転動軸が中で滑動する、水平に対して傾斜している誘導用細長スリットまたは傾斜路の形状を呈することができ、あるいは車輪またはキャスターの転動軸を離反して押すための隔離用部材または機構の形状を呈することができる。外方への車輪またはキャスターの転動軸の移動は、緩衝作用をもたらすものであり、同軸の当初の位置への戻り作用は、車輪またはキャスターに担持されている、とりわけベルト型の転動用無限運動学的連結材によって作用する、当初の位置への接近用復元力で、自然かつ自動的に行われおり、同車輪またはキャスターは、そのとき、同連結材で相互に運動学的に連結されている。
【００１０】
連接転動具は、可動性集合体に台枠として使用される転動用基盤に、軸回転状または固定的に取り付けることができる。
【図面の簡単な説明】
【００１１】
本発明のその他の特性と利点は、添付図を参照して行った記述であるこの後の詳細な記述を読むことによって明らかになるだろう。同図において、
【図１】２つのキャスターを含む本発明の好ましい各種実施態様による単純なユニット的連接転動具の側面全体図である。
【図２】２つのキャスターを含む本発明の好ましい各種実施態様による単純なユニット的連接転動具の側面全体図である。
【図３】２つのキャスターを含む本発明の好ましい各種実施態様による単純なユニット的連接転動具の側面全体図である。
【図４】２つのキャスターを含む本発明の好ましい各種実施態様による単純なユニット的連接転動具の側面全体図である。
【図５】１つの車輪またはキャスターの転動軸のための懸架効果用傾斜調節用手段を含む本発明の１つの変形態様を示す。
【図６】１つの車輪またはキャスターの転動軸のための懸架効果用傾斜調節用手段を含む本発明の１つの変形態様を示す。
【図７】１つの車輪またはキャスターの転動軸のための懸架効果用傾斜調節用手段を含む本発明の１つの変形態様を示す。
【図８】１つの車輪またはキャスターの転動軸のための懸架効果用傾斜調節用手段を含む本発明の１つの変形態様を示す。
【図９】１つの車輪またはキャスターの転動軸のための懸架効果用傾斜調節用手段を含む本発明の１つの変形態様を示す。
【図１０】１つの車輪またはキャスターの転動軸のための懸架効果用傾斜調節用手段を含む本発明の１つの変形態様を示す。
【図１１】２つの車輪またはキャスターを含む本発明の好ましい第２の実施態様によるユニット的連接転動具の側面全体図である。
【図１２】１つの車輪またはキャスターのレベルおよび図１１のユニット的連接転動具の中間転動用支承具のレベルのそれぞれの垂直断面図である。
【図１３】１つの車輪またはキャスターのレベルおよび図１１のユニット的連接転動具の中間転動用支承具のレベルのそれぞれの垂直断面図である。
【図１４】図１１のユニット的連接転動具の分解全体図である。
【図１５】本発明の好ましい第２の実施態様によるユニット的連接転動具の隔離用部材のための各種変形態様を示す斜面図である。
【図１６】本発明の好ましい第２の実施態様によるユニット的連接転動具の隔離用部材のための各種変形態様を示す斜面図である。
【図１７】本発明の好ましい第２の実施態様によるユニット的連接転動具の隔離用部材のための各種変形態様を示す斜面図である。
【図１８】本発明の好ましい第２の実施態様によるユニット的連接転動具の隔離用部材のための各種変形態様を示す斜面図である。
【図１９】本発明の好ましい第２の実施態様によるユニット的連接転動具の隔離用部材のための各種変形態様を示す斜面図である。
【図２０】本発明の好ましい第２の実施態様によるユニット的連接転動具の隔離用部材のための各種変形態様を示す斜面図である。
【図２１】ユニット的車輪またはキャスターの軸が隔離用部材によって移動できるように取り付けてある、本発明の好ましい第２の実施態様の変形の側面全体図である。
【図２２】本発明の好ましい第２の実施態様の変形の側面全体図であり、連接転動具が一直列に並んでいる４の車輪またはキャスターを含んでおり、両端の車輪またはキャスターの軸が隔離用部材によって移動できる。
【図２３】本発明の好ましい第２の実施態様の変形の側面全体図であり、その中で、連接転動具が一直列に並んでいる３の車輪またはキャスターを含んでおり、端の車輪またはキャスターの軸が隔離用部材によって移動でき、および支承具の側面部材がそれぞれほぼ垂直な２つの細長誘導用スリットを有する。
【図２４】本発明の好ましい第２の実施態様の変形の側面全体図であり、その中で、固定軸の車輪またはキャスターが、移動可能な軸の他の２つの車輪またはキャスターの上に取り付けてある。
【図２５】３の車輪またはキャスターを含む本発明の好ましい第２の実施態様の変形の側面全体図であり、同車輪またはキャスターの軸が、共同の隔離用部材で離反して移動できる。
【図２６】隔離用部材が２つの車輪またはキャスターを離反させる方法を示す本発明の好ましい第２の実施態様による連接ユニットの側面概略図であり、スリットが、明確にするために、隔離用部材内に示してある。
【図２７】隔離用部材が２つの車輪またはキャスターを離反させる方法を示す本発明の好ましい第２の実施態様による連接ユニットの側面概略図であり、スリットが、明確にするために、隔離用部材内に示してある。
【図２８】隔離用部材が２つの車輪またはキャスターを離反させる方法を示す本発明の好ましい第２の実施態様による連接ユニットの側面概略図であり、スリットが、明確にするために、隔離用部材内に示してある。
【図２９】転動用連結材の断面および車輪またはキャスターののど部のための複数の例を示す本発明の２つの車輪またはキャスター間の横断面詳細図である。
【図３０】転動用連結材の断面および車輪またはキャスターののど部のための複数の例を示す本発明の２つの車輪またはキャスター間の横断面詳細図である。
【図３１】転動用連結材の断面および車輪またはキャスターののど部のための複数の例を示す本発明の２つの車輪またはキャスター間の横断面詳細図である。
【図３２】転動用連結材の断面および車輪またはキャスターののど部のための複数の例を示す本発明の２つの車輪またはキャスター間の横断面詳細図である。
【図３３】転動用連結材の断面および車輪またはキャスターののど部のための複数の例を示す本発明の２つの車輪またはキャスター間の横断面詳細図である。
【図３４】転動用連結材の断面および車輪またはキャスターののど部のための複数の例を示す本発明の２つの車輪またはキャスター間の横断面詳細図である。
【図３５】本発明の各種変形態様による転動用連結材の断面側面図であり、同側面図では、同連結材が均整の取れた横断方向切り込み状に裁断されたまたは裁断されていない内面を有する。
【図３６】本発明の各種変形態様による転動用連結材の断面側面図であり、同側面図では、同連結材が均整の取れた横断方向切り込み状に裁断されたまたは裁断されていない内面を有する。
【図３７】本発明の各種変形態様による転動用連結材の断面側面図であり、同側面図では、同連結材が均整の取れた横断方向切り込み状に裁断されたまたは裁断されていない内面を有する。
【図３８】本発明の各種変形態様による転動用連結材の断面側面図であり、同側面図では、同連結材が均整の取れた横断方向切り込み状に裁断されたまたは裁断されていない内面を有する。
【図３９】平滑な支承用ころを含む本発明の各種変形態様による転動用連結材の内面での同支承用要素のレベルにおける垂直断面図である。
【図４０】平滑な支承用ころを含む本発明の各種変形態様による転動用連結材の内面での同支承用要素のレベルにおける垂直断面図である。
【図４１】のど部を有する支承用ころの横断面図である。
【図４２】転動用連結材のための側方案内の各種概略図を含む支承具の横断方向概略図である。
【図４３】転動用連結材のための側方案内の各種概略図を含む支承具の横断方向概略図である。
【図４４】転動用連結材のための側方案内の各種概略図を含む支承具の横断方向概略図である。
【図４５】支承用ころの垂直位置がジャッキで調節できる本発明の変形態様の側面概略図である。
【図４６】支承用ころの垂直位置がジャッキで調節できる本発明の変形態様の側面概略図である。
【図４７】外部モータで動力化してある本発明による車輪またはキャスターを示す概略図である。
【図４８】回転シリンダ機関の形状による内部モータで動力化してある本発明による車輪またはキャスターを示す概略図である。
【図４９】家具の脚毎に、本発明による１つのユニット状連接転動具の割合で４の転動用集合体が取り付けてある家具の全体的概略図である。
【図５０】本発明による転動用集合体が車輪の代わりに取り付けてある乗物の側面概略図である。
【図５１】本発明による２つの連接転動具を含む転動用集合体で階段を下りる様子を示す概略図である。
【図５２】本発明による２つの連接転動具を含む転動用集合体で階段を下りる様子を示す概略図である。
【図５３】本発明による２つの連接転動具を含む転動用集合体で階段を下りる様子を示す概略図である。
【図５４】本発明による２つの連接転動具を含む転動用集合体で階段を下りる様子を示す概略図である。
【図５５】本発明による２つの連接転動具を含む転動用集合体で階段を下りる様子を示す概略図である。
【図５６】本発明による２つの連接転動具を含む転動用集合体で階段を下りる様子を示す概略図である。
【図５７】本発明による２つの連接転動具を含む転動用集合体で階段を下りる様子を示す概略図である。
【図５８】本発明による２つの連接転動具を含む転動用集合体で階段を下りる様子を示す概略図である。
【発明を実施するための形態】
【実施例】
【００１２】
これから図１から図５８までを参照しながら、本発明によるユニット的連接転動具を詳述することにする。各種図に示した同等の要素には同一参照番号を付しておく。
【００１３】
この記述に続く記述で、単純化に配慮すべく、車輪で、車輪またはキャスター、あるいはどのような転動用ユニット手段をも指すことにする。
【００１４】
諸図に示した変形態様は、単に例として示したものであり、厳密に解釈すべきではない。単純化に配慮すべく、大抵の図は、本発明の好ましい実施態様によるユニット的連接転動具を示している．しかしながら、本発明では、いくつもの変形態様を計画できる。同様に、要素数、例えば車輪手段の形状と位置は、厳密な方法で解釈すべきではない。したがって、
本発明で２ないし４の車輪を使用することに限定したのであっても、同一ユニット的連接転動具により多数の車輪を組み込むことができる。同様に、本発明によるいくつものユニット的連接転動具を同一可動性集合体または転動具で移動できる同一集合体に取り付けることができる。
【００１５】
本発明は、通常、図１および図３に示した最も単純な本発明の変形態様のように、新規なタイプのユニット的連接転動具１に関する。同ユニット的連接転動具１は、既存の他の全ての転動要素、すなわち車輪、キャスターまたは類似物の代わりに使用できるように設けてある。同ユニット的連接転動具１は、少なくとも２つの車輪２を含んでおり、同車輪に、通行できるように取り付けてある転動用運動学的連結材３を転動状に担持している。
【００１６】
従来の転動可動性集合体とは逆に、車輪２の外周で本発明のユニット的連接転動具１を直接転動させるのではなく、ユニット的連接転動具１の少なくとも２つの車輪により、通行用に担持してある転動用無限運動学的連結材３で転動させる。事実、このタイプのユニット的連接転動具１では、地面４上の支承面はもっと大きく、直線的であり、利用者は、同転動具に備わっている可動性集合体５を転動させるとき、地面４の凹凸の感じが弱まる。
【００１７】
少なくとも２つの車輪２は、それぞれが支承具７に担持されている軸６を中心として転動状に取り付けてあり、同支承具により一列に並んでいる。少なくとも１つの端の車輪２、８、９、すなわち、前車輪２、８および後車輪２、９の転動軸６は、車輪２の転動軸６が取り付けてある支承具７の側面部材１１、１２に配設してある、例えば細長誘導用スリット１０に沿った直線状行程により、機能中に移動可能に取り付けてある。
【００１８】
図２および図４に、２つの端の車輪２、８、９の転動軸６が機能中に移動可能に取り付けてある本発明の好ましい実施態様を示した。
【００１９】
機能中に移動可能に取り付けてある転動軸は、調節、例えば転動用連結材３の張力の調節のときに移動させる転動軸とは逆に、転動軸が取り付けてある連接転動具１の使用時に自動的に移動できる転動軸を指す。通常、この種の調節は、連接転動具１の使用前に、ねじまたはねじ・ナットの集合体を弛緩させ、その後で、転動軸の移動を行い、ねじ締め後に同軸を固定位置に付ける。本発明では、転動軸６は自由であり、すなわち同転動軸は、連接転動具１上の圧力に依る力の作用で、常時、機能中に自動的に移動でき、運動学的連結材の弾性的戻し作用に依り、当初位置に自動的に復帰できる。
【００２０】
本発明の発明上の概念は、少なくとも１つの端の車輪２、８、９が移動可能に取り付けてあり、同隔離用手段１３または支承具７が乗っている転動可動性集合体５の重量により上方または下方に垂直に移動するとき、同移動可能転動軸６を離反して押すための隔離用手段１３が設けてある事実に依っている。運動学的連結材３が作用させる復元力で、当初位置への戻りは、自然かつ自動的に行われる。
【００２１】
隔離用手段１３に作用する重量が大きければ大きいほど、転動用運動学的連結材３の弾性張力が強くなることが注目される。同転動用連結材上に乗っている可動性転動集合体５の重量に独りでに適応する緩衝作用に確かに依るのである。
【００２２】
本発明の好ましい第１の実施態様によれば、少なくとも１つの車輪２の転動軸６は、可動可能に取り付けてあり、車輪２の転動軸６が取り付けてある支承具７の側面部材１１、１２に穿設してある、水平に対して傾斜している細長誘導用スリット１０に沿って誘導される。この場合、傾斜している同細長誘導用スリット１０は、本発明の隔離用手段１３になり、したがって、ユニット的連接転動具１が凹凸の多い地面４または障害物上を通るとき、細長誘導用スリット１０が上方に傾斜していれば、移動可能に取り付けてある車輪の転動軸６は、例えば図１上の実線の矢印で示したように上方に移動して、衝撃緩和作用をする。この場合、車輪の移動可能な転動軸の位置の復元は、転動用運動学的連結材３がもたらす運動学的連結材の弾性的戻し作用で実現する。事実、同ユニット的連接転動具１の車輪２上に、好ましいことに同連結材がぴんと張ってあり、したがって、同連結材は、支承具７の側面部材１１、１２に穿設してある細長誘導用スリット１０、１３内で、車輪２の転動軸６を下方に向かうように強制する。
【００２３】
移動可能に取り付けてある車輪の転動軸６が、支承具７の側面部材１１、１２に穿設してある細長誘導用スリット１０、１３内で上昇すると、転動用運動学的連結材３の形状は、例えば空間的な変形または弾性的伸張で一時的に変形し、次いで当初の形状に戻る。細長誘導用スリット１０、１３が外方に傾斜しているので、転動用運動学的連結材３は、同連結材の周囲の単なる空間的変形により、懸架作用に必要な復元力の全部または一部を保証できる。
【００２４】
無限運動学的転動用連結材３の張力は、細長誘導用スリット１０、１３内で、各転動軸を、例えば低い接近位置に維持し、同軸の離反、例えば上方への移動時に、復元の弾性的抵抗力を作用させる。したがって、車輪の移動可能転動軸６は、例えばばねまたはばねの類似物のような弾性的戻し作用が得られる他の手段を使用する必要なく、懸架作用付きで上昇できる。転動用運動学的連結材３の抗振動性が加わるこの緩衝作用は、とりわけ、同集合体の著しい丈夫さおよび車輪２の転動のための一層の長寿を保証する。
【００２５】
車輪２が取り付けてある支承具７の側面部材１１、１２に穿設してある細長誘導用スリット１０、１３は、車輪２の移動方向および本発明が乗っている可動性集合体５の重量または同集合体が転動する地面４の性質に応じた緩衝力を調節可能に修正し得る、固定的または可変的角度により外方に傾斜していることが好ましい。事実、垂直に近い長手方向の細長誘導用スリット１０、１３は、軽い重量の可動性集合体５または凹凸の激しい地面に特に適合する車輪２の殆ど緩和されない上昇を可能にしているのに対して、傾斜している、またはより強く傾斜している長手方向の長手方向細長誘導用スリット１０、１３は、重い重量の可動性集合体５または完全に平滑な地面４に特に適合する運動学的連結材３の作用によって、より緩和された、すなわち車輪のより困難な上昇をもたらす。
【００２６】
図５から図１０までは、細長誘導用スリット１０、１３の傾斜角度が調節できる変形態様の詳細を示している。同変形態様では、細長誘導用スリット１５に沿って滑動状に取り付けてある、車輪２の転動軸６を通すために設けてある誘導用スリット１５を有する調節可能な傾斜度の調節用軸回転性円盤１４が設けられている。同軸回転性円盤１４は、細長誘導用スリット１０、１３のレベルで移動可能に取り付けてある少なくとも１つの転動軸６の支承具７に取り付けてある。同変形態様では、支承具７は、調節用軸回転性円盤１４の誘導用スリット１５とほぼ一致する誘導用拡大スリット１０、１３を有しており、したがって車輪２の転動軸６は、車輪２が取り付けてある支承具７の側面部材１１、１２に穿設してある誘導用拡大スリット１０、１３内を通る。同調節用軸回転性円盤１４は、軸回転運動の誘導に役立つ誘導兼緊諦用ねじ１７を通すための弧状スリット１６も有する。同変形態様では、支承具７の側面部材１１、１２に穿設してある誘導用拡大スリット１０、１３は、調節用軸回転性円盤１４に設けてある各種傾斜角度に応じて移動可能に取り付けてある転動軸６を通し、移動できるために設けてある。車輪２用軸６が取り付けてある支承具７もまた前記緊諦兼誘導用ねじ１６のためのねじ切りしてある穿孔１７もまた有している。調節のとき、利用者は、調節用軸回転性円盤１４を、選択した傾斜度に方向付けられるように、緊諦兼誘導用ねじ１６を緩める。同方向付けは、円盤１４の軸回転で行い、同軸回転は、緊諦兼誘導用ねじ１６上における円盤１４の本体の弧状スリット１６の滑動によって誘導される。傾斜度を決めた後、緊諦兼誘導用ねじ１６の緊諦は、調節用軸の軸回転性円盤１４の位置を固定できる。緩衝時の車輪２の転動軸６の移動は、次に、このように決定した傾斜角度で行われる。
【００２７】
垂直に対する、例えば前方における同傾斜角度は、０°〜９０°の間に含まれており、０°〜４５°の間に含まれることが好ましく、特に８°〜３５°の間に含まれることが更に好ましい。本発明の好ましい変形態様では、車輪２が取り付けてある支承具７上に、またはその逆に設けてある矢印１９に対応する調節用軸回転性円盤１４上に位置している目盛り１８でスライド合わせすることができる。
【００２８】
図３に示したような本発明の好ましい第２の実施態様では、隔離用手段１３は、車輪２が取り付けてある支承具７の側面部材１１、１２に穿設してある細長誘導用スリット１０に沿って移動可能に取り付けてある端の車輪２、７、８の転動軸６を離反するように押すために設けられている隔離用部材または機構２０の形状を有する。隔離用部材または機構２０が、同部材または機構の垂直移動時の車輪２の転動軸６を離反させる方法の例は、図２６から図２８までに図式的に示してある。
【００２９】
同第２の実施態様によれば、支承具７は、側面部材１１、１２のそれぞれに、例えばほぼ垂直な少なくとも１つの長目の誘導用スリット２１を有することが好ましく、連結用部材２２が、同スリットに沿ってほぼ垂直に移動可能に取り付けてある。少なくとも１つの隔離用部材または機構２０、好ましいことに２つの隔離用部材または機構が、同連結用部材２２に、端の車輪２、８、９の両側に取り付けてある。上方または下方に向かって垂直に移動すると、同隔離用部材または機構２０は、少なくとも１つの移動可能な転動軸６を離反して押すように設けてある。
【００３０】
好ましいことに、隔離用部材または機構２０は、垂直な板２３の形状をしており、同板の少なくとも１つの長手方向延長部は、同延長部の端部に切り込み２４を有し、同切り込み２４は、特にＶ字の形状をしており、同Ｖ字型の枝部は、同Ｖ字型の凹部内に、移動可能に取り付けてある、端の車輪２、８、９の転動軸６が嵌入するようにそれぞれ外方に向かっている。したがって、隔離用部材１３、２０が下方に向かって（図２７）または上方に向かって〔図２８〕垂直に移動するとき、同部材の切り込み２４部分は、車輪２の転動軸６が相対的に離反するように支えることによって、運動転換用傾斜面の役割をする。この離反は、支承具７の側面部材１１、１２に穿設してある誘導用スリット２１によって水平に誘導される。例えば板２３の形状の隔離用部材１３、２０が垂直に付勢されなくなると、当初の位置への戻り〔図２６〕は、車輪２にぴんと張ってある転動用運動学的連結材３による弾性的戻し作用で自動的に行われる。したがって、使用の正常な位置では、移動可能状の転動軸６は、例えば各切り込みのＶ字型の尖端のすぐ近く、支承具７の側面部材１１、１２の中央部に近い誘導用スリット１０の部分に突き当たって停止する。
【００３１】
端の車輪２、８、９の転動軸６を中央部から離反させることを可能にする別手段１３を申し分なく計画することができる。隔離用手段１３は、例えばロッドまたは類似装置（図示されていない）、あるいは特に垂直支承力が掛かっているとき、端の車輪２、８、９の転動軸６を離反させることを可能にする他の運動転換用手段を含むことができる。
【００３２】
支承具７の側面部材１１、１２の外部に、かつ同部材に接して、ユニット的連接転動具１の両側に位置する隔離用部材または機構１３、２０を諸図に示しているが、各隔離用部材または機構１３、２０を移動可能な車輪２用軸６と、支承具７の側面部材１１、１２との間に取り付けることを申し分なく計画することができる。
【００３３】
隔離用部材または機構１３、２０が端のＶ字型の切り込み２４を有する板状の隔離用部材２３の形状を呈している場合、得られる緩衝作用は、原則として、切り込み２４のＶ字型開口の角度に比例する。Ｖ字型開口部延伸成形の角度が開いていれば開いているほど、車輪２の移動可能な軸６の離反の程度が小さく、緩衝作用が弱くなる（柔軟な緩衝）。逆に、Ｖ字型開口部が狭くなれば狭くなるほど、車輪２の移動可能な軸６の離反が大きくなり、緩衝作用が強くなる（強い緩衝）。
【００３４】
図１５から図１７までに、各種角度の開口部の切り込み２４を有する隔離用部材１３、２０の例を示しておいた。Ｖ字型切り込み２４の開口部の好ましい角度は、６０°〜１６０°の間であり、１００°〜１３０°の間が更に好ましい。図１５に示したように、好ましい実施態様では、Ｖ字型切り込み２４の開口部の角度は、ほぼ１２０°に等しい。
【００３５】
隔離用部材に行ったＶ字型形状の切り込み２４だけを示したのであるが、同切り込み２４は、移動可能に取り付けてある転動軸を離反させられる他の適切な形状を有することができる。
【００３６】
したがって、切り込み２４のＶ字型角部分は、図２９に示したように丸みを帯び得るのであり、あるいは切り込み２４が完全に丸くあり得て（図１９）、それによって、例えば漸増的緩衝作用を提供することができる。同様に、切り込み２４は必ずしも対称的ではない。非対称的であれば、隔離用手段１３、２０が上方または下方に移動するに応じて、異なる緩衝作用が得られる。
【００３７】
本発明の実施態様がどのようであっても、転動軸６が取り付けてある支承具７は、適切な集合用手段２５で相互に固定的距離に集合し、平行に保持してある側面部材１１、１２からなり、あるいは例えば２つの側面が側面部材１１、１２になる倒立Ｕ字型金属板２６の形状の単一部材からなることが好ましい。
【００３８】
適切な集合用手段２５は、例えばねじ止め、溶接、接合または嵌合による固定で、支承具の側面に取り付けてある横断方向水平ロッド２７を含むことができる。
【００３９】
多数の図に示した本発明の変形態様では、少なくとも１つの中間転動用支承具２８を転動用運動学的連結材３の下方部分および／または上方部分に、同連結材の内面２９上または直近に設けており、同中間転動用支承具２８は、転動用運動学的連結材３を車輪２に通行させることを容易にし、直線状軌道上に保持することを可能にする。
【００４０】
同転動用支承具２８は、例えば転動用運動学的連結材３に対して横断方向位置に配設してある少なくとも１つのローラの形状を有するか、同転動用運動学的連結材３に対して横断方向に移動可能に取り付けてある。同移動は、ばね（図示されていない）でもたらされる弾性力で緩衝されることができる。この場合、同ローラの転動軸は、向き合わせで平行している２つのスリットで誘導される。
【００４１】
この好ましい変形態様では、転動用支承具２８を、支承具７の側面部材１１、１２を固定的距離に保持する例えば横断方向水平ロッド２７の形状の適切な集合用手段２５上に取り付けることができる。
【００４２】
誘導用スリット３１に取り付けてある１または複数のナットを緩めた後、同スリット内を自由に滑動する１または複数のねじ３０（図２）による適切な装置によって、１または複数の転動用支承具２８の垂直位置を変更でき、スライド指定できる各種変形態様を計画できる。
【００４３】
本発明の別の変形態様では、転動用支承具２８の垂直位置は、操作中に役立つ局限的支承用接触を行うために、例えば水圧ジャッキ３３を介して指図できる機械装置３２（図４５と図４６）で、臨時に調節または移動できる。転動用支承具２８の垂直位置を変更できると、例えば同連結材３と地面４との摩擦面を最小限に少なくして、転動用運動学的連結材３の周囲を空間的に有利に変形させることが可能になる。したがって、支承用区域は、例えばユニット的連接転動具１をそれ自体軸回転するのを容易にする軸回転の支点になれる。
【００４４】
転動用支承具２８の転動軸を誘導用スリットに沿って弾性的に懸垂状に取り付けることもでき、あるいは１または複数の転動用支承具２８を、無限運動学的転動用連結材３の内面２９に弾性的に拘束する弾性的圧力装置、例えばばね、に取り付けることを計画できる。
【００４５】
図示していない改良変形態様では、転動用支承具２８になる支承用ローラの移動手段３２を、車輪２の軸の隔離を引き起こす手段１３に従属させることを計画できる。したがって、少なくとも１つの転動用支承具２８の運動は、動力的または非動力的適切な装置３２で指標に合わせ、または隔離用部材または機構１３、２０の操作運動に配設できる。
【００４６】
本発明の変形態様では、支承具７は、転動用運動学的連結材３の両側に、１または複数の側方誘導部を有することができる。支承具の下方部分に側方誘導部を含む支承具７の例が図４２から図４４までに示してある。
【００４７】
別の変形態様では、移動可能に取り付けてある少なくとも１つの転動軸６のほぼ水平な滑動は、変形態様で図４に示してあるように、２つの軸６の位置を調節できる、例えば水圧ジャッキ３５を介して操作できる。
【００４８】
本発明のユニット的連接転動具１が、乗り物３６に使用される予定になっている可動性集合体５が乗り物３６である場合、この最後の変形態様は特に関心に値する。したがって、この種の懸架の硬さは、転動用運動学的連結材の支承面と同じく、調節可能である。
【００４９】
本発明のユニット的連接転動具１が乗り物３６に使用されるために設けられている場合、少なくとも１つの車輪２のための駆動手段３７を予定できる。同駆動手段は、適切な運動学的連結材を介して、少なくとも１つの車輪２を牽引する外的駆動手段３７（図示されていない）であり得る。車輪のための例えば電動回転シリンダ機関Ｍの形状の個別的駆動手段３７も同じく予定できる。図４７に示したように、同電動回転シリンダ機関は、車輪の外部または内部（図４８）位置付けることができる。また、乗り物３６の場合、車輪２のための補助懸架装置３８を予定できる。
【００５０】
一般的に、ユニット的連接転動具１の少なくとも１つの車輪２のために、
補助懸架装置の作用をする、例えばばねまたは類似物３８を予定できる。
【００５１】
転動用運動学的連結材３の外面３９は、ほぼ半円筒形の断面の形状、すなわち、ほぼ半円形の断面の形状を有することが好ましい。したがって、この型の転動用運動学的連結材３を使用すると、地面４との摩擦面が著しく減少し、その結果、本発明によるユニット的連接転動具１にとって移動がもっと容易になる。転動用運動学的連結材３もまた、完全に曲線状、例えば円形または楕円形断面を有することができ、同連結材の内面２９が各車輪２の外面上に転動用に支承しているのに対して、転動具の外面３９は、地面４と各種角度で接触することができる。この目的で、車輪２は、溝車３０であることが好ましく、必ずしも必要ではないが、転動用運動学的連結材３の内面２９を補完する外部形状を有することが好ましい。
【００５２】
転動用運動学的連結材３が、とりわけ同連結材に対する大きな側方応力の場合、車輪２の溝部３０または中間転動用支承具２８から出ないために、転動用連結材３の内面２９は、ほぼ半円形、台形、三角形、正方形、長方形またはその他の形状を有することができる。
【００５３】
転動用運動学的連結材３の内面２９のための断面の形状の各種例が図２９から図３４までに示してあり、そこでは転動用運動学的連結材３の外面３９は、ほぼ半円形または他の凸状を呈する。図３２から図３４まで、転動用運動学的連結材３の外面３９が内面２９よりも大きい半径の断面を有し得ることが注目され、したがって、転動面のほぼ半円筒の形状が車輪２の側面の周囲の部分に支承される盛り上がり部を有する。
【００５４】
本発明の別の変形態様では、転動用運動学的連結材３の内面２９は、充実していることができ（図３５）、または横断方向で均整が取れていることが好ましい切り込み４０を有することができ、同切り込みの深さは、転動用運動学的連結材３の一層迅速で静かな変形および軸回転を可能にする。同切り込み４０は、各種形状を呈することができ、とりわけ矩形（図３０）、台形（図３１）または三角形（図３２）を呈することができる。同切り込みは、転動用運動学的連結材３の包括的可撓性を増加させて、一層可撓性を有し、したがって、磨耗に抵抗が比較的低い材質を使用する必要としないで、歪曲できるその性能を利用できる。したがって、中心糸状骨組４１を有することが好ましく、重合体性物質で製造してあることが好ましい、大きい可撓性のない比較的硬質の転動用運動学的連結材３を使用できる。
【００５５】
本発明の少なくとも１つのユニット的連接転動具１が可動性集合体５に取り付けてあるとき、同転動具は、ほぼ水平な連結用部材２２を介して同可動性集合体に固定でき、同連結用部材は、支承具７の側面部材１１、１２のそれぞれに穿設してあるほぼ垂直な細長誘導用スリット２１内で移動可能に取り付けてある。したがって、衝撃または地面の凹凸の場合、連結用部材２２に取り付けてある隔離用部材または機構１３、２０は、本発明のユニット的連接転動具１が取り付けてある可動性集合体５の地面４上への支承力の作用で、上方または下方に向かって垂直に移動する。同連結用部材２２は、転動性基部になるために、可動性集合体５に軸回転状に、または固定的に取り付けることができる。連結用部材２２が軸回転状に取り付けてある場合、本発明のユニット的連接転動具１は、同連結用部材を中心として軸回転できるので、傾斜している地面上で同可動性集合体５を容易に移動でき、または例えば地面４が小石またはその他の障害物に満ちているとき、困難な通行が解決できる。有利なことに、本発明のユニット的連接転動具１の軸回転できる取り付けは、階段を上がりまたは降りるのを可能にすることができる。例として、図５１から図５８までに、本発明の軸回転性ユニット的連接転動具１を１組装備したショッピングカー４３で階段の段４２を下りる状況を示した。ユニット的連接転動具１のためのこの種の軸回転性取り付けの利点は数多く、ここに示した利点はその例に過ぎない。
【００５６】
本発明の第２の実施態様の好ましい変形態様は、図１１から図１４までに示してある。ユニット的連接転動具１のために数多くの変形態様を計画することができ、同転動具１つの少なくとも１つの車輪２用軸６が隔離用部材または機構１３、２０の垂直移動の作用で離反して移動できる可動可能に取り付けてある。例えば、図２１に、車輪２の内の１つの車輪だけが離反して移動できる可動可能に取り付けてある本発明の連接転動具１の変形態様を示した。
【００５７】
一列に並べてあるまたは一列に並べていない２以上の車輪２を含む連接転動具１も計画することができる。例えば、図２２では、前輪２、８と後輪２、９が、隔離用部材または機構１３、２０の垂直移動作用で離反して移動できる可動可能に取り付けてある、一列に並んでいる４の車輪２を含む転動用連結材３の変形態様が示してある。
【００５８】
また、連接転動具１が車輪２を２輪以上含むとき、同車輪は、必ずしも一列に並んでいるのではない。それでも、同一連接転動具１の車輪２は、同車輪に通行用に転動上に担持してある転動用運動学的連結材３を受けるために、通常、同一面に位置している必要がある。
【００５９】
なお、連接転動具１に含まれる車輪２の数がいくつあっても、支承具７の側面部材１１、１２は、それぞれほぼ垂直な誘導用スリット２１を任意の数有することができる。同スリットの数が１以上であれば、同誘導用スリット２１は、隔離用手段１３、２０の垂直滑動のためのよりよい誘導を保証する。
【００６０】
例として、図２３で、隔離用手段１３、２０を垂直によりよく誘導するために、それぞれが２つの垂直誘導用スリット２１を含む連接転動具１を示した。
【００６１】
図２４に、三角形に垂直に配置してある３の車輪２を含む連接転動具１が示してあり、下方の２つの車輪２、７、８は、図３および図１１に示した連接転動具１の車輪とほぼ類似しているのに対して、第３の車輪２、４４、すなわち上方の車輪は、他の２つの車輪２、７、８の上方に固定してある軸を中心として可動可能状態に取り付けてある。この図では、第３の車輪２、４４は、他の２つの車輪２、７、８に対して中央位置に示してあるが、それは義務ではない。この変形態様では、この３の車輪２、７、８、４４上で通行し、転動用に担持されている転動用運動学的無限連結材３は、２つの車輪２に担持されているときよりも、運動反転用歪曲がより少ない。３の車輪にすることにより、同連結材に作用するねじり応力が減少して、車輪２の周囲の転動軸連結材の通行を著しく容易にする。同変形態様では、隔離用部材または機構１３、２０に取り付けてあるほぼ水平な連結用部材２２が、可動性転動集合体５に軸回転可能に固定してあれば、連接転動具１集合体は、回転用軸になる同連結用要素２２の周囲で自由に軸回転できる。しかし、この変形態様における連結用要素２２の低位置により、図２４に示した連接転動具１のための位置は、例えば進行の場合、連接転動具１がそれ自体における軸回転運動後に自動的に戻る均衡位置に相当する。連結用要素２２のためのこの低位置は義務的ではなく、この位置が３の車輪２、７、８、４４の転動軸６で画定されている区域内のほぼどこにでも位置できることを指摘できる。
【００６２】
図２５に、三角形に垂直に配置してある３の車輪２を含む連接転動具１が示してあり、このそれぞれの車輪２の転動軸６は、ほぼ中央にある隔離用部材または機構１３、２０の垂直移動の作用で離反して移動できる可動可能状態に取り付けてある。同変形態様では、隔離用部材または機構１３、２０に取り付けてあるほぼ水平な連結用要素２２は、転動可動性集合体５に軸回転可能に取り付けてある。連接転動具１は、２π／３の軸回転軸によって対称的であるので、連結用要素２２は、連接転動具１集合体に対して、ほぼ中央に取り付けてあり、したがって、それ自体の２π／３の軸回転後、同等の位置に戻る。同変形態様では、支承具の側面部材に穿設してある細長誘導用スリット２１は、３の枝部による星状形態を形成するように、１つの追加的枝部を有する。
【００６３】
本発明の別の改良は、図２および図４に示したように、さらにほぼ水平な追加直線状部分４５を有する細長誘導用スリット１０内で、少なくとも１つの車輪２を滑動可能に取り付けることにある。誘導用スリット１０のほぼ水平な直線状部分内での転動軸６の位置のスライド合わせは、車輪２の周りの転動用運動学的連結材３の張力の調節を可能にし、転動用運動学的連結材３の設置または同連結材の交換に役立つ。このスライド合わせは、車輪２の内の１つの車輪の転動軸４６に支承される、例えば偏心輪４７で、迅速、便利かつ僅かな費用で、調節用手段６で行われる。同調節用機構４６は、当業者によって、本発明のどのような実施態様にも適用できる。
【産業上の利用可能性】
【００６４】
既に説明したように、本発明のユニット的連接転動具１は、転動用集合体、または転動台を構成するために、既存の車輪２に替わってどのような可動性集合体５にも取り付けることができる。
【００６５】
したがって、本発明による少なくとも１つのユニット的連接転動具１、指向性であり得る少なくとも１つの連接転動具１としての転動用手段１で担持される台枠を含むどのような可動性転動用集合体５にも関する。
【００６６】
本発明はまた、室内家具、病院の台車またはベッド、ワゴン、椅子、肘掛け椅子、机、仕事台などであろうと、車輪が取り付けてある、通常、可動性または移動可能性のすべての家具４８にも適用できる。
【００６７】
なお、本発明の適用には限界がなく、通常、車輪２を含むスーパーマーケットのショッピングーカート、玩具、ベビーカー、ロボット、洗車台、トランク、足場など、どのような可動性集合体５にも適用できる。
【００６８】
本発明は、あらゆる分野、とりわけ運輸、家具、飲食、保健衛生、農業および一般的に機械に関係する。
【００６９】
どのタイプの地面でも、丈夫で静かかつ快適な本発明のユニット的連接転動具１は、技術の現状に結果的に改善をもたらす新型転動用手段になる。
【００７０】
明らかなように、本発明は、既に諸図で示し、記述した好ましい諸実施態様に限定されているのではなく、当業者は、本発明に数多くの変更をもたらすことができ、本発明の範囲、枠を出ることなく、他の変形態様を考え出すことができる。
【００７１】
同様に、諸図に、唯一の無限運動学的転動用連結材３を含むユニット的連接転動具１を示したのであっても、本発明による２または３、例えば複数のユニット的連接転動具１を配設することによる連接転動具１を申し分なく計画できる。この場合、転動用運動学的連結材３は順々に１列に並べることができ、または相互に並列状にほぼ同一レベルに位置づけることができる。
【符号の説明】
【００７２】
１．ユニット的連接転動具
２．車輪
３．無限転動用連結材
４．地面
５．可動性集合体
６．転動軸
７．支承具
８．前車輪
９．後車輪
１０．細長誘導用スリット
１１．側面部材
１２．側面部材
１３．隔離用手段
１４．調節用軸回転性円盤
１５．細長誘導用スリット
１６．弧状スリット
１７．緊諦兼誘導用ねじ
１８．目盛り
１９．矢印
２０．隔離用部材または機構
２１．細長垂直スリット
２２．水平連結用部材
２３．垂直な板
２４．切り込み
２５．集合用手段
２６．倒立Ｕ字型金属板
２７．横断方向水平ロッド
２８．中間転動用支承具
２９．連結材の内面
３０．ねじ、溝車、溝部
３１．誘導用スリット
３２．機械装置
３３．水圧ジャッキ
３４．調節用機構
３５．水圧ジャッキ
３６．乗り物
３７．駆動手段
３８．補助懸架装置
３９．連接転動具の外面
４０．切り込み
４１．中心糸状骨組
４２．階段の段
４３．ショッピングカー
４４．上の車輪、最後部車輪
４５．水平な追加直線状部分
４６．調節用手段
４７．偏心輪
４８．家具
【図１】
2011518073.tif 000003
【図２】
2011518073.tif 000004
【図３】
2011518073.tif 000005
【図４】
2011518073.tif 000006
【図５】
2011518073.tif 000007
【図６】
2011518073.tif 000008
【図７】
2011518073.tif 000009
【図８】
2011518073.tif 000010
【図９】
2011518073.tif 000011
【図１０】
2011518073.tif 000012
【図１１】
2011518073.tif 000013
【図１２】
2011518073.tif 000014
【図１３】
2011518073.tif 000015
【図１４】
2011518073.tif 000016
【図１５】
2011518073.tif 000017
【図１６】
2011518073.tif 000018
【図１７】
2011518073.tif 000019
【図１８】
2011518073.tif 000020
【図１９】
2011518073.tif 000021
【図２０】
2011518073.tif 000022
【図２１】
2011518073.tif 000023
【図２２】
2011518073.tif 000024
【図２３】
2011518073.tif 000025
【図２４】
2011518073.tif 000026
【図２５】
2011518073.tif 000027
【図２６】
2011518073.tif 000028
【図２７】
2011518073.tif 000029
【図２８】
2011518073.tif 000030
【図２９−３１】
2011518073.tif 000031
【図３２−３４】
2011518073.tif 000032
【図３５】
2011518073.tif 000033
【図３６】
2011518073.tif 000034
【図３７】
2011518073.tif 000035
【図３８】
2011518073.tif 000036
【図３９】
2011518073.tif 000037
【図４０】
2011518073.tif 000038
【図４１】
2011518073.tif 000039
【図４２】
2011518073.tif 000040
【図４３】
2011518073.tif 000041
【図４４】
2011518073.tif 000042
【図４５】
2011518073.tif 000043
【図４６】
2011518073.tif 000044
【図４７】
2011518073.tif 000045
【図４８】
2011518073.tif 000046
【図４９】
2011518073.tif 000047
【図５０】
2011518073.tif 000048
【図５１】
2011518073.tif 000049
【図５２】
2011518073.tif 000050
【図５３】
2011518073.tif 000051
【図５４】
2011518073.tif 000052
【図５５】
2011518073.tif 000053
【図５６】
2011518073.tif 000054
【図５７】
2011518073.tif 000055
【図５８】
2011518073.tif 000056
【国際調査報告】
2011518073.tif 000057
2011518073.tif 000058
2011518073.tif 000059